(57)【要約】【課題】様々な大きさの室外設置物に対応可能でありデザイン性に優れ、保護機能を有し、着脱が容易で気軽に交換可能な化粧カバーを提供する。【解決手段】印刷または塗装が可能な樹脂シートからなる化粧カバー６を、室外設置物の大きさに合わせた大きさ及び形状を有する上部部材７と、多種の室外設置物に対応可能な大きさ及び形状を有する側面部材８とから構成し、上部部材７及び側面部材８を各々に設けられた係止部材１１、１５で接続した状態で室外設置物を覆う。【選択図】図２
2008070094.tif 000002
【特許請求の範囲】
【請求項１】
室外設置物の上面を覆う上部部材と室外設置物の側面を覆う側面部材からなり、上部部材は室外設置物の大きさに合わせた大きさ及び形状を有し、側面部材は多種の室外設置物に対応可能な大きさ及び形状を有し、上部部材と側面部材の上部とにわたって設けられ上部部材と側面部材を着脱する係止部材が設けられていることを特徴とする化粧カバー。
【請求項２】
請求項１に記載の化粧カバーにおいて、上部部材は側面部材の外側上部を覆う外周被覆部材を有し、外周被覆部材の外周より内側に係止部材が備えられていることを特徴とする化粧カバー。
【請求項３】
請求項１または２に記載の化粧カバーにおいて、側面部材は、室外設置物の側面周囲に巻かれる一枚部材であり、一枚部材を側面に沿わせるように保持する保持部材を一枚部材の端部に設けたことを特徴とする化粧カバー。
【請求項４】
請求項１〜３の何れかに記載の化粧カバーにおいて、上部部材及び側面部材が印刷或いは塗装が可能であることを特徴とする化粧カバー。
【請求項５】
請求項１〜４の何れかに記載の化粧カバーにおいて、側面部材に開閉部が備えられていることを特徴とする化粧カバー。
【請求項６】
請求項１〜５の何れかに記載の化粧カバーにおいて、係止部材がファスナー、フック、ホック、紐、粘着材の何れかからなることを特徴とする化粧カバー。
【請求項７】
請求項６に記載の化粧カバーにおいて、開閉部は側面部材に切込みが設けられてなるものであり、前記切込みに沿って切込みを接続する接続部材が設けられていることを特徴とする化粧カバー。
【請求項８】
請求項７に記載の化粧カバーにおいて、接続部材がファスナー、フック、ホック、紐、粘着材の何れかからなることを特徴とする化粧カバー。
【請求項９】
請求項１〜８の何れかに記載の化粧カバーにおいて、上部部材が山型形状を有することを特徴とする化粧カバー。
【請求項１０】
請求項１〜９の何れかに記載の化粧カバーにおいて、上部部材及び側面部材が樹脂からなることを特徴とする化粧カバー。
【請求項１１】
請求項１〜１０の何れかに記載の化粧カバーにおいて、上部部材は温水器の上部に設置され、側面部材は温水器の周囲に設置されることを特徴とする化粧カバー。
【発明の詳細な説明】
【技術分野】
【０００１】
本発明は様々な大きさの室外設置物に対応可能でありデザイン性に優れた化粧カバーに関し、特に室外に設置される温水器に好適な化粧カバーに関する。
【背景技術】
【０００２】
現在電気温水器やエアコンの室外機など、室外に設置される室外設置物が多くなっている（特許文献１）。それらを含む室外設置物は、主に収納箱に収納されている。しかし、これらの収納箱は通常画一的なデザインで、装飾性を伴うものは稀であり、また通常の収納箱は取外し及び設置に手間を要し、経年劣化しても気軽に交換を行うことができない。
【０００３】
【特許文献１】特開２００６−０２９７２８号公報
【発明の開示】
【発明が解決しようとする課題】
【０００４】
本発明は上記の状況に鑑み、様々な大きさの室外設置物に対応可能でありデザイン性に優れ、保護機能を有し、着脱が容易で気軽に交換可能な化粧カバーを提供することを目的とする。
【課題を解決するための手段】
【０００５】
上記課題を解決する本発明の第１の態様は、室外設置物の上面を覆う上部部材と室外設置物の側面を覆う側面部材からなり、上部部材は室外設置物の大きさに合わせた大きさ及び形状を有し、側面部材は多種の室外設置物に対応可能な大きさ及び形状を有し、上部部材と側面部材の上部とにわたって設けられ上部部材と側面部材を着脱する係止部材が設けられていることを特徴とする化粧カバーにある。
【０００６】
かかる第１の態様では、室外設置物の大きさに合わせた大きさ及び形状を有する上部部材、及び多種の室外設置物に対応可能な大きさ及び形状を有する側面部材からなる化粧カバーを用いることにより、側面部材を多種の室外設置物に共用することができ、様々な大きさの室外設置物に対応可能で着脱が容易な化粧カバーを提供することが可能となる。
【０００７】
本発明の第２の態様は、第１の態様に記載の化粧カバーにおいて、上部部材は側面部材の外側上部を覆う外周被覆部材を有し、外周被覆部材の外周より内側に係止部材が設けられていることを特徴とする化粧カバーにある。
【０００８】
かかる第２の態様では、側面部材の外側上部を覆う外周被覆部材を有する上部部材を用いることにより、側面部材の外側上部が外周被覆部材により覆われ、側面部材の内側に雨などが浸入せず、雨などの環境から化粧カバーに覆われた内部を保護することが可能となる。
【０００９】
本発明の第３の態様は、第１または２の態様に記載の化粧カバーにおいて、側面部材は、室外設置物の側面周囲に巻かれる一枚部材であり、一枚部材を側面に沿わせるように保持する保持部材を一枚部材の端部に設けたことを特徴とする化粧カバーにある。
【００１０】
かかる第３の態様では、側面部材は、室外設置物の側面周囲に巻かれる一枚部材であることにより、一枚部材の巻きつけ、巻き外しにより着脱を容易にすることが可能な化粧カバーを提供することが可能となる。
【００１１】
本発明の第４の態様は、第１〜３の何れかの態様に記載の化粧カバーにおいて、上部部材及び側面部材が印刷或いは塗装が可能であることを特徴とする化粧カバーにある。
【００１２】
かかる第４の態様では、上部部材及び側面部材を印刷或いは塗装により任意のデザインにすることができ、デザイン性に優れた化粧カバーを提供することが可能となる。
【００１３】
本発明の第５の態様は、第１〜４の何れかの態様に記載の化粧カバーにおいて、側面部材に開閉部が備えられていることを特徴とする化粧カバーにある。
【００１４】
かかる第５の態様では、開閉部を含む側面部材を用いることにより、化粧カバーを設置したまま内部の室外設置物の操作や開閉等を行うことができる。
【００１５】
本発明の第６の態様は、第１〜５の何れかの態様に記載の化粧カバーにおいて、係止部材がファスナー、フック、ホック、紐、粘着材の何れかからなることを特徴とする化粧カバーにある。
【００１６】
かかる第６の態様では、ファスナー、フック、ホック、紐、粘着材の何れかからなる係止部材を用いることにより、上部部材と側面部材との接続が容易な化粧カバーを提供することができる。
【００１７】
本発明の第７の態様は、第６の態様に記載の化粧カバーにおいて、開閉部は側面部材に切込みが設けられてなるものであり、前記切込みに沿って切込みを接続する接続部材が設けられていることを特徴とする化粧カバーにある。
【００１８】
かかる第７の態様では、接続部材による接続を解くことで切込みに沿って開閉部を容易に開いて室外設置物の操作窓等を確認することができる。
【００１９】
本発明の第８の態様は、第７の態様に記載の化粧カバーにおいて、接続部材がファスナー、フック、ホック、紐、粘着材の何れかからなることを特徴とする化粧カバーにある。
【００２０】
かかる第８の態様では、ファスナー、フック、ホック、紐、粘着材の何れかからなる接続部材を用いることにより、切込みの開放、接続が容易な化粧カバーを提供することができる。
【００２１】
本発明の第９の態様は、第１〜８の何れかの態様に記載の化粧カバーにおいて、上部部材が山型形状を有することを特徴とする化粧カバーにある。
【００２２】
かかる第９の態様では、山型形状を有する上部部材を用いることにより、雨や雪を効率的に外方に流し落とすことが可能な、より室外環境に強い化粧カバーを提供することができる。
【００２３】
本発明の第１０の態様は、第１〜９の何れかの態様に記載の化粧カバーにおいて、上部部材及び側面部材が樹脂からなることを特徴とする化粧カバーにある。
【００２４】
かかる第１０の態様では、上部部材及び側面部材に樹脂を用いることにより、軽量で安価な、保護機能を有し気軽に交換可能な化粧カバーを提供することができる。
【００２５】
本発明の第１１の態様は、第１〜１０の何れかの態様に記載の化粧カバーにおいて、上部部材は温水器の上部に設置され、側面部材は温水器の周囲に設置されることを特徴とする化粧カバーにある。
【００２６】
かかる第１１の態様では、様々な大きさの温水器に対応可能でありデザイン性に優れた化粧カバーを提供することができる。
【発明の効果】
【００２７】
本発明によれば、化粧カバーを多種の形状及び大きさに対応可能とし、化粧カバーに印刷や塗装が可能な部材を使用したので、様々な大きさや形状の室外設置物に対応可能なデザイン性に優れ保護機能を有し、着脱が容易で気軽に交換可能な化粧カバーを提供することができる。
【発明を実施するための最良の形態】
【００２８】
以下、本発明の実施の形態を図１〜図６に基づき説明する。なお、本発明は以下に示した実施の形態には限定されない。
【００２９】
図１に本発明の実施形態に係る化粧カバーが設置される電気温水器の外観、図２に本発明の実施形態に係る化粧カバー、図３に本発明の実施形態に係る化粧カバーを電気温水器に被せた状態の前面の外観、図４に本発明の実施形態に係る化粧カバーを電気温水器に被せた状態の後面の外観、図５に本発明の実施形態に係る化粧カバーを電気温水器に被せた状態で開閉部を開いた場合の外観、図６に本発明の実施形態に係る化粧カバーの上部部材の他の例を示す。
【００３０】
本実施形態においては、本発明の化粧カバーが室外に設置された電気温水器に用いられる場合を例示する。
【００３１】
一般的に電気温水器は電気料金の安い夜間電力を利用して夜間に一日分の湯を沸かし、一日に使う量の湯をタンクに蓄えて保温し、翌日、湯を使用する。これにより、いつでもすぐに暑い湯を出すことができ、一度に多量の湯を使用しても湯温の変化なく湯を使用することができる。
【００３２】
電気温水器は上記の通り大容量タンクを要する。大容量タンクは通常室外に設置され、環境から保護するために収納箱に納められている。
【００３３】
しかし、従来の収納箱は画一的なデザインで、通常の収納箱は取外し及び設置に手間を要し、経年劣化しても気軽に交換を行うことができない。
【００３４】
そこで、本発明の化粧カバーが電気温水器などの室外設置物に利用される。以下に、図面に基づいて本発明の化粧カバーが角型電気温水器に使用される例を示す。
【００３５】
図１に本実施形態において本発明の化粧カバーが設置される電気温水器の外観を示す。本実施形態における電気温水器１は住宅壁面２付近に設置され、本体３と脚部４からなり、本体３には操作窓５が本体前面の二箇所に設けられている。
【００３６】
図２〜図６に本実施形態における本発明の化粧カバーの概略を示す。化粧カバー６は主に印刷或いは塗装が可能なシート状の樹脂からなる上部部材７及び側面部材８により構成される。側面部材８は電気温水器１の側面に巻きつけられるように配され、上部部材７は電気温水器１の上面を覆うように配される。
【００３７】
上部部材７は上面部９と外周被覆部材としての側面部１０からなり、側面部１０には係止部材としてのホック１１が設けられ、上部部材７の側面部１０の内側と側面部材８の外側上部がホック１１によって着脱自在に接続され、一体的な化粧カバー６となる。側面部材８の外側上部を上部部材７によって覆うことにより、雨などの水が側面部材８の内側に浸入することを防ぐことができ、電気温水器１を雨などの外部環境から保護することができる。
【００３８】
側面部材８は被覆部１２、三本のベルト１３、及び三つのリング部１４からなる。被覆部１２の上端にはホック１５が設けられ、上部部材７の側面部１０に設けられたホック１１と着脱自在に接続可能である。ホック１５により上部部材７と側面部材８とを一体的に接続させた状態で化粧カバー６を電気温水器１に被せることにより、電気温水器１への化粧カバー６の被覆を容易に行うことができる。
【００３９】
側面部材８の被覆部１２の端部の一方には上下方向に三つのリング部１４が設けられ、被覆部１２の他方にはリング部１４に対応して三本のベルト１３が設けられる。ベルト１３の被覆部１２と接続されていない側の端部１６には両面に面ファスナー１７が設けられている。ベルト１３がリング部１４に通されて折り返され、折り返されたベルト１３の端部１６は面ファスナー１７によりベルト１３自体に固定することができる。
【００４０】
上部部材７と側面部材８とを一体的に接続させ、ベルト１３をリング部１４に通し、面ファスナー１７で固定した状態で化粧カバー６を電気温水器１に設置することにより、電気温水器１への化粧カバー６の設置をより容易に行うことができる。
【００４１】
電気温水器１の前面に対応する側面部材８の被覆部１２に上下方向に伸びる開閉部１８が設けられている。開閉部１８には被覆部１２の上下端に達する切込み１９が設けられ、切込み１９部分が重ねられ、重なり部２０の内側両面に接続部材としての面ファスナー２１が設けられている。これにより開閉部１８は切込み１９で二分された被覆部１２が接続された状態になっている。図５のように化粧カバー６を電気温水器１に被せた状態で開閉部１８を開くことによって、電気温水器１の前面側の操作窓５等の操作を電気温水器１が化粧カバー６に覆われた状態で行うことができる。
【００４２】
側面部材８はベルト１３を用いて電気温水器１のサイズに対応させることから、一種類の大きさ及び形状を用意するのみで様々な大きさ及び形状を有する電気温水器１に対応させることができる。したがって、上部部材７のみを複数種の大きさや形状のものを用意すれば、側面部材８は他の大きさや形状の電気温水器１に使用する場合と共通のものを使用することができる。
【００４３】
以上のようにして、化粧カバー６に多種の形状及び大きさに対応可能で、印刷や塗装が可能な部材を使用したので、様々な大きさの電気温水器１に対応可能で、着脱が容易であり、様々な色や模様に印刷や塗装が可能でデザイン性に優れ、被覆物の保護機能を有し、気軽に交換可能な化粧カバー６を提供することができる。
【００４４】
本実施形態においては本発明の化粧カバー６を電気温水器１に用いる場合を例示したので、防水性、断熱性、耐熱性、耐火性、防汚性などを有する部材を使用することで、化粧カバー６の機能をさらに向上させることができる。
【００４５】
本実施形態においては係止部材、接続部材、及びベルト１３の端部１６の固定にホック１１、１５及び面ファスナー１７、２１を用いたものを例示するが、それらに用いられる部材はファスナー、フック、紐、粘着材などでも良く、着脱可能であり着脱が容易であれば特に限定されない。
【００４６】
本実施形態においては側面部材８を電気温水器１の大きさに対応させるためにベルト１３を用いたが、様々な大きさの室外設置物に対応させることが可能な部材であれば良く、ベルト１３に限定されない。
【００４７】
本実施形態において開閉部１８は一箇所のみに設けられているが、開閉部１８の設置は複数でも良い。
【００４８】
本実施形態においては上部部材７は箱の蓋の様な形状のものを用いたが、図６のように上部部材２２は山型形状であったり、側面部材８の外側上部を覆う、雨などの外部環境から内部を保護することが可能な庇状の外周被覆部材２３を有したりしていても良い。上部部材２２を山型にすることで外側に雨を流すことができ、庇状の外周被覆部材２３により流された雨滴を外方側に滴下させることができる。これにより、側面部材８の内側に雨などが浸入することをより確実に防止することができる。
【００４９】
本実施形態においては角型の電気温水器１に本発明の化粧カバー６を用いる場合を例示したが、本発明の化粧カバーは上部部材の形状や大きさを変えるのみで丸型の電気温水器にもその他の様々な室外設置物にも使用可能である。
【図面の簡単な説明】
【００５０】
【図１】本発明の実施形態に係る化粧カバーが設置される電気温水器の斜視図である。
【図２】本発明の実施形態に係る化粧カバーの概略図である。
【図３】本発明の実施形態に係る化粧カバーを電気温水器に被せた状態の前面の斜視図である。
【図４】本発明の実施形態に係る化粧カバーを電気温水器に被せた状態の後面の斜視図である。
【図５】本発明の実施形態に係る化粧カバーを電気温水器に被せた状態で開閉部を開いた場合の斜視図である。
【図６】本発明の実施形態に係る化粧カバーの上部部材の他の例を示す斜視図である。
【符号の説明】
【００５１】
１    電気温水器
２    住宅壁面
３    本体
４    脚部
５    操作窓
６    化粧カバー
７、２２  上部部材
８    側面部材
９    上面部
１０  側面部
１１、１５  ホック
１２  被覆部
１３  ベルト
１４  リング部
１６  端部
１７、２１  面ファスナー
２３  外周被覆部材
【図１】
2008070094.tif 000003
【図２】
2008070094.tif 000004
【図３】
2008070094.tif 000005
【図４】
2008070094.tif 000006
【図５】
2008070094.tif 000007
【図６】
2008070094.tif 000008